(57)【特許請求の範囲】
【請求項１】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、後倒側板をその内面中央ラインが凹窪状なるように形成することで、該後倒側板を傾倒したとき前記先倒側板どうしの重合部分が該凹窪部内に収容されるようにしたことを特徴とする折り畳みコンテナ。
【請求項２】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、先倒側板を傾倒したとき該先倒側板の上端縁どうしが重合する底板上面中央に凹窪部を形成し、両先倒側板の上端縁の重合部分が該凹窪部中に沈下するようにしたことを特徴とする折り畳みコンテナ。
【請求項３】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、先倒側板をその内面中央ラインが凹窪状なるように形成することで、底板上面中央に形成された筋状突部が該凹窪部内に収容されるようにしたことを特徴とする折り畳みコンテナ。
【発明の詳細な説明】
【０００１】
【発明の属する技術分野】
本発明は、側板を内側に傾倒することによって折り畳み可能なるプラスチック製のコンテナに関するものである。
【０００２】
【従来の技術】
【特許文献１】
特開２００１−３３５０２７号公報
【特許文献２】
特開２００１−３３５０３０号公報
【特許文献３】
特開２００１−３１５７７３号公報
【０００３】
上記特許文献１，特許文献２等により知られたプラスチック製の物品収納用コンテナは、四側辺を有する底板と、該底板の一方の対向辺に内側に傾倒し該底板上に重合可能なるように軸支した先倒側板と、該底板の他方の対向辺に内側に傾倒し前記先倒側板上に重合可能なるように軸支した後倒側板とからなり、折り畳みによって容積（高さ）を数分の１に縮小できるものである。
【０００４】
また、下段のコンテナ上に一辺の長さの整数倍または整数分の１の長さのコンテナを安定して積み上げられるように、底板の下面に方形上に区分された複数の底座を形成し、該底座間に下段のコンテナの上端縁が２列遊嵌するように溝部が形成され、いわゆるモジュール化された折り畳みコンテナは、上記特許文献３等により知られている。
【０００５】
【発明が解決しようとする課題】
ところで、上記特許文献等に記載された従来の折り畳みコンテナは、先倒側板の高さが底板の他辺の長さの約２倍以上であると、該先倒側板を内側に傾倒したとき該先倒側板の上端縁どうしが上下に重合することとなって嵩張り、さらにその上に後倒側板を重合させることから、折り畳み状態としても高さが充分に縮小されないという問題があった。
また、上記特許文献３により知られた折り畳みコンテナでは、先倒側板の上端縁を薄く形成することで上下に重合したときの嵩張りを低くし縮小率を上げようとしたものであったが、そのために側板の強度低下を招き、段積み時の強度不足から倒壊する危険が生じるおそれがあった。
そこで本発明は、このような従来の折り畳みコンテナの問題点を解消し、側板強度を維持しつつ、折り畳みによって高さを大きく縮小し得るコンテナを提供しようとするものである。
【０００６】
【課題を解決するための手段】
そのために本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、後倒側板をその内面中央ラインが凹窪状なるように形成することで、該後倒側板を傾倒したとき前記先倒側板どうしの重合部分が該凹窪部内に収容されるようにしたことを特徴とする。
また、本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、先倒側板を傾倒したとき該先倒側板の上端縁どうしが重合する底板上面中央に凹窪部を形成し、両先倒側板の上端縁の重合部分が該凹窪部中に沈下するようにしたことを特徴とする。
また、本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、先倒側板をその内面中央ラインが凹窪状なるように形成することで、底板上面中央に形成された筋状突部が該凹窪部内に収容されるようにしたことを特徴とする。
【０００７】
【発明の実施の形態】
次に図面に従い本発明の実施の形態をいわゆるモジュール化された折り畳みコンテナについて説明する。図１は本発明に係るコンテナの外観斜視図、図２はその水平断面平面図、図３は縦断面斜視図、図４は底面図、図５，図６は分解斜視図である。四側辺を有する底板１は、プラスチックの射出成形によって一体に形成され、一方の対向辺の中央部に相対する突提２を形成し、該突提２の両側に複数の軸受部３を適宜間隔で形成し、該底板１の他方の対向辺には上方に全長にわたり突出した突提４を形成し、該突提４に複数の軸受部５を適宜間隔で形成している。また、底板１の上面は２つの正方形浅皿状の窪部６が形成され、該窪部６間に横断状に筋状突部７が形成されている。該窪部６および筋状突部７は、図４の底面図に示したように、底板１の下面に格子状リブからなる２つの座底８をその間に横断状に溝部９を設けて形成することにより、該底板１の上面に形成されるもので、この座底８によって該底板１が補強されるとともに段積時に上下のコンテナが嵌合し安定する。そして溝部９は下段のコンテナの上端縁が２列遊嵌し得る幅に形成されていることで下段に２つ並べられたコンテナの上に１つのコンテナを跨って積み上げられるようにしている。
【０００８】
また、１０は底板１と同様にプラスチックによって成形された先倒側板で、該先倒側板の外面に補強リブ１１が額縁状に一体に形成され、図５，図６にも示したように、該先倒側板の下辺に前記軸受部３に挿入される複数の支軸１２が突設される。また、該先倒側板１０は平面視略〕形に形成することでその内面中央ラインが凹窪状なる凹窪部１３が形成されるようにしている。また、前記先倒側板１０の両側縁１４の外側に複数の爪片１５を形成している。
【０００９】
また、２０は同様にプラスチックによって成形された後倒側板で、該後倒側板の外面に補強リブ２１が額縁状に一体に形成され、該後倒側板の下辺に前記軸受部５に挿入される複数の支軸２２が突設される。また、該後倒側板２０についても平面視略〕形に形成することでその内面中央ラインが凹窪状なる凹窪部２３が形成される。
また、後倒側板２０の両側縁に内側に鉤状に折れ曲がる内向耳片２４が一体に形成され、該内向耳片に適宜間隔で複数の係合孔２５が開設され、該係合孔には前記先倒側板１０を起立状態としたとき爪片１５が係合し得る。
【００１０】
上記先倒側板１０は支軸１２を軸受部３により回転自在に支持することにより、内向きに傾倒自在に支持され、また、上記後倒側板２０は、支軸２２を軸受部５により回転自在に支持することにより、内向きに傾倒自在に支持される。
【００１１】
このコンテナでは、後倒側板２０を垂直に起立させた後に先倒側板１０を起立させることで前記爪片１５が内向耳片２４の係合孔２５に係合し、該先倒側板１０および後倒側板２０は図１に示したように起立状態に保持され、物品を収容することが可能となる。
【００１２】
また、両先倒側板１０を内側に傾倒し底板１上に重合させた後、後倒側板２０を内側に傾倒し該先倒側板１０上に重合させることで図７〜図９に示した折り畳み状態となる。その際、底板上面中央の筋状突部７は、図９に示したように下側となった先倒側板１０の凹窪部１３に収容されることから、両先倒側板１０の傾倒時の高さを低くすることができる。また、両先倒側板１０の上端縁どうしの重合部分は、図８に示したように後倒側板２０の凹窪部２３に収容されることから、両後倒側板２０の傾倒時の高さもまた低く抑えられる。このため、折り畳むことで高さが大幅に縮小され、容積がより小さくなることから返送時の輸送コストを軽減することができる。
【００１３】
前記突提２，４は、上段に同コンテナを積み上げる際の支持部となるが、図７に示されるように突堤４の両端部内周に形成された凹部３０は、折り畳み状態にて上段に同一コンテナを積み上げたときその上段のコンテナの座底８を嵌合させ、その積み上げ状態を安定させるために形成されている。同様に図１に示されるように、組み立て状態のコンテナの四隅に相当する先倒側板１０および後倒側板２０の上端縁に形成される凹部３１もこの組み立て状態における積み上げを安定させるために形成されている。
【００１４】
なお、請求項１に記載の発明は、先倒側板どうしの重合部分が嵩張るのに対処し得るものであるので、この実施形態に示したモジュール化された折り畳みコンテナに限らず、側板内倒れ式の折り畳みコンテナに広く適用することができる。
【００１５】
一方、図１０は請求項２に記載の折り畳みコンテナの分解斜視図であって、このコンテナに用いられる底板１では先倒側板１０を傾倒したとき該先倒側板の上端縁どうしが重合する底板上面中央に凹窪部４０を形成している。このように凹窪部４０を形成することによっては、両先倒側板１０の上端縁の重合部分が該凹窪部４０中に沈下することから、同様に折り畳み時の縮小率を上げることができる。なお、図１０中、その他の構造は上記実施形態と同一部分について同一符号を付して示す。
【００１６】
【発明の効果】
このように本発明によれば、側板強度を維持しながらも折り畳みによる高さの縮小率を大幅に向上させ、折り畳みコンテナの有用性を一層増大させる有益な効果がある。
【図面の簡単な説明】
【図１】本発明に係る折り畳みコンテナの実施形態を示す外観斜視図。
【図２】図１の折り畳みコンテナの水平断面平面図。
【図３】図１の折り畳みコンテナの縦断面斜視図。
【図４】図１の折り畳みコンテナの底面図。
【図５】図１の折り畳みコンテナの分解斜視図。
【図６】図１の折り畳みコンテナの分解斜視図。
【図７】図１のコンテナの折り畳み状態の斜視図。
【図８】図７の折り畳み状態のコンテナのＡ−Ａ線断面図。
【図９】図７の折り畳み状態のコンテナのＢ−Ｂ線断面図。
【図１０】本発明の他の実施形態を示す折り畳みコンテナの分解斜視図。
【符号の説明】
１        底板
３，５    軸受部
６        窪部
７        筋状突部
８        座底
９        溝部
１０      先倒側板
１３      凹窪部
２０      後倒側板
２３      凹窪部
４０      凹窪部
【図１】
0003709392.tif 000002
【図２】
0003709392.tif 000003
【図３】
0003709392.tif 000004
【図４】
0003709392.tif 000005
【図５】
0003709392.tif 000006
【図６】
0003709392.tif 000007
【図７】
0003709392.tif 000008
【図８】
0003709392.tif 000009
【図９】
0003709392.tif 000010
【図１０】
0003709392.tif 000011